(57)【要約】【課題】  入浴中に浴槽の側壁内側から突出させて首や肩のマッサージを効果的に行うことができると共に、終了後は浴槽の側壁内に収納して入浴中の身体動作の妨げにならないようにすることが可能な突出部材を有する浴槽内マッサージ装置を提供する。【解決手段】  浴槽内マッサージ装置１０は、浴槽１１の側壁１２の上端部又は内側上部に設けられ、浴槽１１の側壁１２内に収納可能な左右対となる突出部材１４を有し、突出部材１４は、側壁１２への取付け部１７を基準にして、水平位置から実質垂直位置に回動可能となって、側壁１２内に設けられた凹部１３ａに収納可能となっている。【選択図】        図１
2006130232.tif 000002
【特許請求の範囲】
【請求項１】
浴槽の側壁の上端部又は内側上部に設けられ、該浴槽の側壁内に収納可能な左右対となる突出部材を有することを特徴とする浴槽内マッサージ装置。
【請求項２】
請求項１記載の浴槽内マッサージ装置において、前記突出部材は、前記側壁への取付け部を基準にして、水平位置から実質垂直位置に回動可能となって、前記側壁内に設けられた凹部に収納可能となっていることを特徴とする浴槽内マッサージ装置。
【請求項３】
請求項１記載の浴槽内マッサージ装置において、前記突出部材は、前記側壁への取付け部を基準にして、前記突出部材が前記浴槽内を向いた水平位置から、前記側壁に設けられた凹部に嵌入する水平位置の間を回動可能となっていることを特徴とする浴槽内マッサージ装置。
【請求項４】
請求項１記載の浴槽内マッサージ装置において、前記突出部材は、前記側壁への取付け部を基準にして、前記突出部材が前記浴槽内を向いた水平位置から、前記側壁に傾斜して設けられた凹部に嵌入する斜め下方位置の間を回動可能となっていることを特徴とする浴槽内マッサージ装置。
【請求項５】
請求項１〜４のいずれか１項に記載の浴槽内マッサージ装置において、前記突出部材の内側には永久磁石が配置されていることを特徴とする浴槽内マッサージ装置。
【請求項６】
請求項１〜５のいずれか１項に記載の浴槽内マッサージ装置において、前記突出部材の先側には膨出部が形成され、該膨出部は表面が滑らかな球形又は楕球形、あるいは表面に多数の凸部又は凹部が形成された球形又は楕球形となっていることを特徴とする浴槽内マッサージ装置。
【請求項７】
請求項１〜６のいずれか１項に記載の浴槽内マッサージ装置において、前記突出部材の基端部には、該突出部材が前記浴槽の内側を向いた状態を保持する位置保持手段が設けられていることを特徴とする浴槽内マッサージ装置。
【請求項８】
請求項１〜７のいずれか１項に記載の浴槽内マッサージ装置において、前記浴槽の前記側壁又は該側壁と異なる側壁の上端部には１又は２以上の溝が形成されていることを特徴とする浴槽内マッサージ装置。
【請求項９】
請求項１〜８のいずれか１項に記載の浴槽内マッサージ装置において、前記浴槽の内側中間部又は内側下部には１又は２以上の突起が設けられていることを特徴とする浴槽内マッサージ装置。
【請求項１０】
請求項９記載の浴槽内マッサージ装置において、前記突起の基部には吸盤が設けられていることを特徴とする浴槽内マッサージ装置。
【請求項１１】
請求項１〜１０のいずれか１項に記載の浴槽内マッサージ装置において、前記対となる突出部材の先部には異種金属が使用又はコーティングされ、これらが電気的に接続されていることを特徴とする浴槽内マッサージ装置。
【発明の詳細な説明】
【技術分野】
【０００１】
本発明は、入浴中に浴槽の内側に突出して首及び肩のマッサージを行ない、終了後は浴槽の側壁に収納する突出部材を有する浴槽内マッサージ装置に関する。
【背景技術】
【０００２】
従来、浴槽の内壁に指圧効果をもたらす複数の突起を設けたり（例えば、特許文献１〜４参照）、突起の形成された指圧器を吸盤等を用いて使用時に浴槽の内側に固定したりして（例えば、特許文献５、６参照）、入浴中に入浴者自身の動作で首、肩、腰等の身体の各部位のマッサージを行うことが提案されている。
【０００３】
【特許文献１】特開平９−２０６２３５号公報
【特許文献２】実開平１−６８０４２号公報
【特許文献３】実開昭６３−７７０４２号公報
【特許文献４】実開昭６３−６５４４０号公報
【特許文献５】特開２００１−８７３４６号公報
【特許文献６】実開昭５８−１０１６３９号公報
【発明の開示】
【発明が解決しようとする課題】
【０００４】
しかしながら、浴槽の内壁に突起を設ける場合は、押圧位置の微調整を行うことが困難であると共に、体を押し当てる際の力が複数の突起で分散して担われるため指圧の効率が悪くなっていた。更に、マッサージを行わない場合では、入浴時に突起が邪魔になるという問題があった。
【０００５】
本発明はかかる事情に鑑みてなされたもので、入浴中に浴槽の側壁内側から突出させて首や肩のマッサージを効果的に行うことができると共に、終了後は浴槽の側壁内に収納して入浴中の身体動作の妨げにならないようにすることが可能な突出部材を有する浴槽内マッサージ装置を提供することを目的とする。
【課題を解決するための手段】
【０００６】
本発明に係る浴槽内マッサージ装置は、浴槽の側壁の上端部又は内側上部に設けられ、該浴槽の側壁内に収納可能な左右対となる突出部材を有している。
【発明の効果】
【０００７】
本発明に係る浴槽内マッサージ装置においては、入浴中、血行が促進された状態で、突出部材を浴槽の側壁から突出させて首や肩の押圧ができるために、肩凝りの解消及び疲労回復を効果的に行うことが可能になると共に、入浴後の爽快感の向上が図られ健康増進にもつながる。また、不使用時には突出部材を浴槽の側壁内に収納できるので、入浴中の身体動作の妨げにならなず、入浴を楽しむことができる。
【０００８】
特に、突出部材の内側に永久磁石が配置されている場合は、突出部材による押圧中に永久磁石の磁気作用が入浴による温浴作用とも相俟って入浴者の血行を促進させることができ、肩凝りの解消及び疲労回復をより効果的に行うことが可能になる。
突出部材の先側に膨出部が形成され、膨出部は表面が滑らかな球形又は楕球形、あるいは表面に多数の凸部又は凹部が形成された球形又は楕球形となっている場合は、突出部材を肩や首の付け根に当てた際に、ツボ等を効率的に刺激を与えることができ、指圧効果が増す。
突出部材の基端部に、突出部材が浴槽の内側を向いた状態を保持する位置保持手段が設けられている場合は、突出部材を浴槽の側壁から突出させた状態を一時保持することができ、突出部材を肩や首の付け根に当てることが容易になる。
【０００９】
更に、突出部材が設けられた側壁又はこの側壁と異なる側壁の上端部に１又は２以上の溝が形成されている場合は、浴槽の縁を利用し、形成された溝内に背骨を逃がすことができ、簡素な構成で腰又は背中を押圧することが可能になる。
浴槽の内側中間部又は内側下部に１又は２以上の突起が設けられている場合は、入浴時に１又は複数の突起により体の各部を押圧することが可能になると共に、突出部材と突起を併用することで、肩と背中というように身体の複数の部位を入浴中に同時に押圧することが可能になる。
突起の基部に吸盤が設けられている場合は、身体の部位に合わせて突起を浴槽の側壁に取付けることができ効果的に押圧を行うことが可能になると共に、不使用時には容易に取り外すことができ入浴中の身体動作の妨げにならないようにできる。
対となる突出部材の先部に異種金属が使用又はコーティングされ、これらが電気的に接続されている場合は、突出部材の先部の異種金属間に微弱な起電力が発生するので、押圧中に入浴者の身体に微弱電流を流すことができ、肩凝りの解消及び疲労回復を更に効果的に行うことが可能になる。
【発明を実施するための最良の形態】
【００１０】
続いて、添付した図面を参照しつつ、本発明を具体化した実施の形態につき説明し、本発明の理解に供する。
ここで、図１（Ａ）は本発明の第１の実施の形態に係る浴槽内マッサージ装置を備えた浴槽の斜視図、（Ｂ）は浴槽の側壁内に収納された突出部材の正面図、図２は同浴槽内マッサージ装置の突出部材を浴槽の内側に向けた状態を示す側断面図、図３は同浴槽内マッサージ装置の突出部材を浴槽の内側に向けた状態を示す平断面図、図４は同浴槽内マッサージ装置の変形例に係る突出部材を示す平断面図、図５は同浴槽内マッサージ装置の変形例に係る突起を示す断面図、図６は同浴槽内マッサージ装置の使用方法を示す説明図、図７は同浴槽内マッサージ装置の使用方法を示す説明図、図８（Ａ）は本発明の第２の実施の形態に係る浴槽内マッサージ装置を備えた浴槽の斜視図、（Ｂ）は浴槽の側壁内に収納された突出部材の正面図、図９は同浴槽内マッサージ装置の突出部材を浴槽の内側に向けた状態を示す側断面図、図１０は同浴槽内マッサージ装置の突出部材を浴槽の内側に向けた状態を示す平断面図、図１１は同浴槽内マッサージ装置の使用方法を示す説明図である。
【００１１】
図１（Ａ）、（Ｂ）に示すように、本発明の第１の実施の形態に係る浴槽内マッサージ装置１０は、浴槽１１の側壁１２の内側上部に左右対となって設けられた取付けハウジング１３を有し、それぞれの取付けハウジング１３の凹部１３ａには、収納可能な突出部材１４を有している。以下これらについて、詳細に説明する。
【００１２】
図１〜図３に示すように、突出部材１４は、例えば、ステンレス鋼又は強度を十分に有するプラスチック（強化プラスチックも含む）で形成され、側壁１２への取付け部、即ち取付けハウジング１３の凹部１３ａに設けられたステンレス鋼製のピン１７を基準にして、浴槽１１内に向いた水平位置から側壁１２に沿った実質垂直位置に回動可能となっている。
そして、突出部材１４は、ピン１７が貫通する通し孔１８が形成され縦断面が矩形状で、横断面が通し孔１８の中心位置より基端側が半円形状で、通し孔１８の中心位置より先側が矩形状の基部１９と、基部１９に連接して設けられた、例えば円柱状（直径が２０〜３０ｍｍ）の腕部２０と、腕部２０の先側に形成され、例えば、直径が３０〜４０ｍｍで表面が滑らかな球形状を有する膨出部２１を備えている。
【００１３】
ここで、腕部２０の先側の下部に切り欠きを設けて永久磁石２２を取付け、腕部２０の先側を永久磁石２２と共にプラスチック、例えば、ナイロン樹脂、ポリエチレン樹脂、ポリプロピレン樹脂、フェノール樹脂等の硬質又は軟質の合成樹脂で鋳ぐるむことにより膨出部２１を形成することが好ましい。永久磁石２２を取付けることにより、入浴者４７（図６参照）が膨出部２１に肩や首の付け根を押し当てた際に、永久磁石２２の磁気作用により肩や首の付け根の血行を促進させることができる。
なお、腕部２０の先側に永久磁石２２を取付けずに腕部２０の先側を硬質又は軟質の合成樹脂で鋳ぐるんで膨出部を形成することも、腕部２０と同材質で一体的に膨出部を形成することも可能である。
【００１４】
取付けハウジング１３は、強度、耐蝕性を有する金属、例えば、ステンレス鋼板（例えば、厚みが３〜１０ｍｍ）で、凹部１３ａの開口部の縁に形成されたつば部２３の表面が実質的に側壁１２の内側表面と同一面を形成するように側壁１２内に嵌め込まれている。また、図２に示すように、ピン１７を基準にして突出部材１４を水平位置に回動させたときに、基部１９の上側周囲面が凹部１３ａの上隅部及び上側面に当接し、凹部１３ａが突出部材１４のストッパーとして作用する構成となっている。
これにより、水平位置に回動させたときに凹部１３ａが突出部材１４のストッパーとして作用するので、突出部材１４の膨出部２１の下面に入浴者４７の、例えば、肩を当て、膨出部２１下方から上方に向けて押し上げるように力をかけても、突出部材１４を浴槽１１の側壁１２から突出させた状態で安定して保持することができる。
【００１５】
図２に二点鎖線で示すように、ピン１７を基準として突出部材１４を実質垂直位置に回動させたときに、膨出部２１の表側（浴槽内に向いた側）がつば部２３の表面から突出せず、突出部材１４を凹部１３ａの内側に完全に納まる構造となっている。
このため、突出部材１４を凹部１３ａに収納した際には、入浴者４７が浴槽１１内に入る場合や、浴槽１１内で身体を動かす場合に、突出部材１４によって入浴者４７の動作に支障が生じることはない。
【００１６】
更に、図１（Ｂ）に示すように、取付けハウジング１３、具体的に凹部１３ａには、突出部材１４の腕部２０の両側に位置する部分に窪み２３ａが設けられて、収納時の突出部材１４の取り出しが容易にできるようになっている。
なお、突出部材１４を凹部１３ａに深く収納し、更に、凹部１３ａに合成樹脂製の蓋を被せることが望ましい。この場合、蓋を装着した際における蓋の表面は、浴槽１１の側壁１２と同一平面を形成するようになっている。これによって、入浴者４７は側壁１２に凭れた際に違和感を感じない。
【００１７】
図３に示すように、取付けハウジング１３の上部側面には、突出部材１４の基部１９を貫通するピン１７の一方側を保持する第１のピン受け２４と、ピン１７の他方側を挿通させてパッキン２５を介して封止部材２６でシールされた第２のピン受け２７が形成されている。更に、基部１９の両側面とそれに対向する取付けハウジング１３の側面の間には、ピン１７を貫通させた状態で位置保持手段の一例である板状のゴム部材２８が装入されている。基部１９の両側面とそれに対向する取付けハウジング１３の側面の間にゴム部材２８を装入することにより、摩擦力を増加することができ、ピン１７を基準にして突出部材１４を水平位置に回動させて浴槽１１の内側を向かせた状態を容易に保持することができる。
このため、突出部材１４を浴槽１１の側壁１２から突出させた状態を一時保持することができ、入浴者４７は突出部材１４の膨出部２１を容易に肩や首の付け根に当てることができ、血行が促進された状態で首や肩の押圧を行うことができる。
【００１８】
図４に、浴槽内マッサージ装置１０の変形例に係る左右対となる突出部材２９、３０を示す。ここで、一方の突出部材２９は基部３１、腕部３２、及び膨出部３３を一体的にステンレス鋼で形成した構成となっており、他方の突出部材３０は基部３４、腕部３５、及び膨出部３６を一体的にステンレス鋼で形成すると共に膨出部３６の表面に、例えば、ニッケルめっき層３７が施された構成となっている。また、各突出部材２９、３０をそれぞれ収納する凹部３８、３９を備えたステンレス鋼製の取付けハウジング３８ａ、３９ａは、ステンレス鋼製の連結部材４０で連結されている。なお、各突出部材２９、３０の基部３１、３４を凹部３８、３９にそれぞれ取付ける構造は、突出部材１４の基部１９を凹部１３ａに取付ける構成と同一である。
【００１９】
このような構成では、突出部材２９はピン１７、取付けハウジング３８ａ、連結部材４０、取付けハウジング３９ａ、及びピン１７を介して突出部材３０と電気的に接続した状態になっているので、入浴者４７が首や肩に突出部材２９、３０の膨出部３３、３６を当接させると、入浴者４７の身体を介して突出部材２９、３０間が電気的に接続されて閉回路が構成される。
これによって、表面が異種金属で構成されている突出部材２９、３０の膨出部３３、３６間に発生している微弱な起電力により、膨出部３３、３６による押圧中に入浴者４７の身体に微弱電流が流れ、押圧による肩凝りの解消及び疲労回復を更に効果的に行うことができる。
【００２０】
なお、突出部材３０の膨出部３６の表面にニッケルめっき層３７を施したが、膨出部をステンレス鋼とは異なる金属で形成するようにしてもよい。ここで、膨出部を異なる金属でそれぞれ形成するか、膨出部を同一の金属で形成し表面にめっき層を設けて膨出部が異なる金属で形成されるようにするかは、製作の容易さや製造コスト等により任意に選択できる。また、使用する金属は、ステンレスとニッケルに限定されることはなく、異なる種類の金属であればどのような組み合わせでも使用できるが、使用する金属としては、さびにくく、接触電位差が大きくなる組み合わせが好ましい。
【００２１】
また、浴槽１１の側壁１２の上端部の中央には溝１５を形成し、側壁１２の内側中間部には、例えば、縦横に突起１６を並べることが好ましい。ここで、側壁１２の上端部の中央に形成される溝１５は、例えば、幅が５０〜８０ｍｍ、深さが５０〜１００ｍｍである。溝１５を設けることにより、入浴者４７が突出部材１４で肩の押圧を行う際に、頸椎部分を溝１５内に逃がすことにより、膨出部２１に肩を効果的に押し付けることができる。
更に、突出部材１４を凹部１３ａに収納して、入浴者４７が脚や腕で体を支えたりしながら身体の位置を調整することで、側壁１２の上端部に腰を当て腰の押圧や揉みを行うことができる。このとき、入浴者４７は背骨を溝１５内に逃がすことができ、側壁１２の上端部を腰に効果的に押し付けることができる。
【００２２】
突起１６は、浴槽１１の側壁１２の内側中間部に、側壁１２と同材質で一体的に形成することができる。ここで、突起１６の寸法は、例えば、直径が２０〜３０ｍｍの半球状とすることができ、突起１６を、ナイロン樹脂、ポリエチレン樹脂、ポリプロピレン樹脂、フェノール樹脂等の硬質又は軟質の合成樹脂や硬質ゴムで形成して側壁１２内に埋め込むようにしても、突起１６内に磁石を埋設するようにしてもよい。これによって、入浴者４７は入浴時に突起１６により体の各部を押圧することが可能になると共に、突出部材１４と突起１６を併用することで、肩と背中というように身体の複数の部位を入浴中に同時に押圧することができる。
【００２３】
なお、図５に示すように、突起４１を、先側に設けた半球状の押圧部４２及び押圧部４２の基部側に設けた掛止部４３を有する、例えば、ステンレス鋼製の突起本体４４と、突起本体４４の基部を埋設状態で保持し裏面側に吸盤４５が形成された、例えば、ゴム製のベース部４６により構成することもできる。
更に、押圧部４２を硬質又は軟質の合成樹脂や硬質ゴムで形成し、その内部に永久磁石を埋設するようにしてもよい。これによって、入浴者４７は、押圧したい身体の部位に合わせて押圧部４２を浴槽１１の側壁１２に取付けることができ、効果的に押圧を行うことができる。そして、不使用時には突起４１を側壁１２から容易に取り外すことができるため、入浴者４７の入浴中の身体動作の妨げにならない。
【００２４】
次に、本発明の第１の実施の形態に係る浴槽内マッサージ装置１０の使用方法について説明する。
図２、図３に示すように、入浴者４７は、凹部１３ａ内に実質垂直位置で収納されている突出部材１４の腕部２０を凹部１３ａの窪み２３ａに指を入れてつまみ、ピン１７を基準にして水平位置まで回動させる。突出部材１４は、その基端部に設けたゴム部材２８により、浴槽１１の内側に突出した状態で水平位置に保持される。
このため、図６に示すように、入浴者４７は、浴槽１１の側壁１２を利用したり、脚や腕で身体を支えたりしながら位置を調整することにより、突出部材１４の膨出部２１を首や肩の凝りや疲れのある部位に当てることができ、首や肩を膨出部２１に押し付けることによって、凝りや疲れのある部位を押圧したり揉んだりすることができる。
【００２５】
また、膨出部２１に首や肩を押し付ける際に、側壁１２の中間部に形成した突起１６により、例えば、背中を押圧することができ、突出部材１４と突起１６により身体の複数の部位を入浴中に同時に押圧することができる。
更に、図７に示すように、突出部材１４を凹部１３ａに収納し、入浴者４７は脚や腕で体を支えたりしながら身体の位置を調整して、側壁１２の上端部で腰の押圧や揉みを行うことができる。このとき、背骨を溝１５内に逃がすことができ、側壁１２の上端部に腰を効果的に押し付けることができる。
【００２６】
本発明の第２の実施の形態に係る浴槽内マッサージ装置４８は、第１の実施の形態に係る浴槽内マッサージ装置１０と比較して、図８（Ａ）、（Ｂ）に示すように、浴槽４９の側壁５０に取付けられた左右対となる突出部材５１が、それぞれ浴槽４９内を向いた水平位置から、側壁５０に固着された取付けハウジング５２の凹部５２ａに嵌入する水平位置の間を回動可能となっていることが特徴となっている。このため、浴槽内マッサージ装置１０と同一の構成部材については同一の符号を付して説明を省略する。また、浴槽内マッサージ装置４８の使用方法についての説明も省略する。
【００２７】
図９、図１０に示すように、突出部材５１は、例えば、ステンレス鋼で形成され、側壁５０への取付け部の一例であるステンレス鋼製のピン５５を基準にして、浴槽４９内を向いた水平位置から凹部５２ａに嵌入する水平位置の範囲で回動可能となっている。そして、突出部材５１は、ピン５５が貫通する通し孔５６が形成され縦断面が矩形状で、横断面が通し孔５６の中心位置より基端側が半円形状で、通し孔５６の中心位置より先側が矩形状の基部５７と、基部５７に連接して設けられた、例えば円柱状（直径が２０〜３０ｍｍ）の腕部５８と、腕部５８の先側に一体的に形成され、直径が３０〜４０ｍｍで表面が滑らかな球形状の膨出部５９を備えている。
【００２８】
取付けハウジング５２は、強度、耐蝕性を有する金属、例えば、ステンレス鋼板（例えば、厚みが３〜１０ｍｍ）で、凹部５２ａの開口部の縁に形成されたつば部６０の表面が実質的に側壁５０の内側表面と同一面を形成するように側壁５０内に嵌め込まれている。また、ピン５５を基準にして突出部材５１を浴槽４９内に向いた水平位置に回動させたときに、基部５７の上、下側面が凹部５２ａの上、下側面に当接し、凹部５２ａが突出部材５１のストッパーとして作用する構成となっている。このため、突出部材５１の膨出部５９の下面に肩を当て、膨出部５９下方から上方に向けて押し上げるように力をかけても、突出部材５１を浴槽４９の側壁５０から突出させた状態で安定して保持することができる。更に、図８（Ｂ）に示すように、取付けハウジング５２の凹部５２ａには、突出部材５１の腕部５８の両側に位置する部分に窪み５９ａが設けられて、収納時の突出部材５１の取り出しが容易にできるようになっている。
【００２９】
更に、ピン５５を基準として突出部材５１を凹部５２ａに嵌入する水平位置に回動させたときに、膨出部５９の表側（浴槽内に向いた側）がつば部６０の表面から突出せず、突出部材５１が凹部５２ａの内側に完全に納まる構造となっている。このため、突出部材５１を凹部５２ａに収納した際には、入浴者６１（図１１参照）が浴槽４９内に入る場合や、浴槽４９内で身体を動かす場合に、突出部材５１によって入浴者６１の動作に支障が生じることはない。なお、突出部材５１をピン５５を用いて凹部５２ａに取付ける方法は、第１の実施の形態の突出部材１０を取付ける際と同一の構成部材を用いて行うことができるので、説明は省略する。
【００３０】
また、側壁５０と異なる側壁５３の上端部には、例えば、幅が５０〜８０ｍｍ、深さが５０〜１００ｍｍの溝５４が形成されている。溝５４を設けることにより、入浴者６１は脚や腕で体を支えたりしながら身体の位置を調整して、側壁５３の上端部に腰を当て腰の押圧や揉みを行うことができる。このとき、入浴者６１は背骨を溝５４内に逃がすことができ、側壁５３の上端部を腰に効果的に押し付けることができる。
ここで、溝５４を、側壁５０と異なる側壁５３に形成することで、突出部材５１による首や肩の押圧と、側壁５３の上端部による腰の押圧及び揉みを、浴槽４９内で身体を移動させることにより交互に行うことができる。更に、図１１に示すように、溝５４を長辺側の側壁５３に設けておくと、入浴者６１は容易に脚を側壁５３に対向する側壁６２に当てることができ、脚の力を利用して背骨を溝５４内に逃がしながら腰を側壁５３の上端部に強く当てることができる。このため、腰をより効果的に押圧及び揉むことができる。
なお、浴槽４９が大きな場合は、側壁５３に溝５４を２以上形成することが好ましい。これによって、複数の入浴者が同時に溝５４を利用して腰の押圧及び揉みを行うことができる。
【００３１】
以上、本発明の実施の形態を説明したが、本発明は、この実施の形態に限定されるものではなく、発明の要旨を変更しない範囲での変更は可能であり、前記したそれぞれの実施の形態や変形例の一部又は全部を組み合わせて本発明の浴槽内マッサージ装置を構成する場合も本発明の権利範囲に含まれる。
例えば、第１及び第２の実施の形態では、突出部材を浴槽の側壁の内側上部に設けたが、突出部材を浴槽の側壁の上端部に設けるようにしてもよい。また、突出部材の先側に形成した膨出部を表面が滑らかな球形としたが、膨出部の表面に多数の凸部又は凹部を形成するようにしてもよい。これによって、膨出部を首や肩に当てた際に、ツボをより効果的に刺激することができる。更に、膨出部を楕球形とすることも、水平状態で肩や首の付け根に当接する側のみを球形や楕球形にすることもできる。
【００３２】
突出部材を設けた側壁の内側中間部に突起を設けたが、この側壁の内側下部に突起を設けても、内側中間部から下部の範囲に突起を設けてもよい。これによって、突出部材による首や肩の押圧と共に、突起による腰の押圧も同時に行うことができる。第１の実施の形態では、突出部材の基部の両側面とそれに対向する凹部の側面の間に位置保持手段として板状のゴム部材を装入したが、基部の上面側と基部に対向する凹部の側面とにそれぞれ永久磁石を配置して、回動して水平位置になった突出部材が凹部に磁着されるようにしてもよい。
また、膨出部を金属で形成する場合、腕部と一体的に形成したが、腕部と膨出部をそれぞれ形成し膨出部を腕部の先に、例えば、ねじ込んで取付けるようにしてもよい。これによって、膨出部の交換が容易になって、種々の組み合わせの異種金属で形成された膨出部を使用することができるようになる。
【００３３】
突出部材を、側壁への取付け部を基準にして浴槽内を向いた水平位置から実質垂直位置に回動可能となって側壁内に設けられた凹部に収納可能、又は、側壁への取付け部を基準にして浴槽内を向いた水平位置から側壁に設けられた凹部に嵌入する水平位置の間を回動可能となるように設けたが、突出部材を、側壁への取付け部を基準にして浴槽内を向いた水平位置から側壁に傾斜して設けられた凹部に嵌入する斜め下方位置の間で回動可能に設けてもよい。
更に、浴槽の側壁の上部に複数対の穴を設け、入浴者がマッサージを行いたいときに、穴に突出部材を差し込むことにより浴槽の側壁に突出部材が取付けられるようにしてもよい。なお、突出部材でマッサージを行わない場合は、穴に栓をすることが好ましい。
【図面の簡単な説明】
【００３４】
【図１】（Ａ）は本発明の第１の実施の形態に係る浴槽内マッサージ装置を備えた浴槽の斜視図、（Ｂ）は浴槽の側壁内に収納された突出部材の正面図である。
【図２】同浴槽内マッサージ装置の突出部材を浴槽の内側に向けた状態を示す側断面図である。
【図３】同浴槽内マッサージ装置の突出部材を浴槽の内側に向けた状態を示す平断面図である。
【図４】同浴槽内マッサージ装置の変形例に係る突出部材を示す平断面図である。
【図５】同浴槽内マッサージ装置の変形例に係る突起を示す断面図である。
【図６】同浴槽内マッサージ装置の使用方法を示す説明図である。
【図７】同浴槽内マッサージ装置の使用方法を示す説明図である。
【図８】（Ａ）は本発明の第２の実施の形態に係る浴槽内マッサージ装置を備えた浴槽の斜視図、（Ｂ）は浴槽の側壁内に収納された突出部材の正面図である。
【図９】同浴槽内マッサージ装置の突出部材を浴槽の内側に向けた状態を示す側断面図である。
【図１０】同浴槽内マッサージ装置の突出部材を浴槽の内側に向けた状態を示す平断面図である。
【図１１】同浴槽内マッサージ装置の使用方法を示す説明図である。
【符号の説明】
【００３５】
１０：浴槽内マッサージ装置、１１：浴槽、１２：側壁、１３：取付けハウジング、１３ａ：凹部、１４：突出部材、１５：溝、１６：突起、１７：ピン、１８：通し孔、１９：基部、２０：腕部、２１：膨出部、２２：永久磁石、２３：つば部、２３ａ：窪み、２４：第１のピン受け、２５：パッキン、２６：封止部材、２７：第２のピン受け、２８：ゴム部材、２９、３０：突出部材、３１：基部、３２：腕部、３３：膨出部、３４：基部、３５：腕部、３６：膨出部、３７：ニッケルめっき層、３８、３９：凹部、３８ａ、３９ａ：取付けハウジング、４０：連結部材、４１：突起、４２：押圧部、４３：掛止部、４４：突起本体、４５：吸盤、４６：ベース部、４７：入浴者、４８：浴槽内マッサージ装置、４９：浴槽、５０：側壁、５１：突出部材、５２：取付けハウジング、５２ａ：凹部、５３：側壁、５４：溝、５５：ピン、５６：通し孔、５７：基部、５８：腕部、５９：膨出部、５９ａ：窪み、６０：つば部、６１：入浴者、６２：側壁
【図１】
2006130232.tif 000003
【図２】
2006130232.tif 000004
【図３】
2006130232.tif 000005
【図４】
2006130232.tif 000006
【図５】
2006130232.tif 000007
【図６】
2006130232.tif 000008
【図７】
2006130232.tif 000009
【図８】
2006130232.tif 000010
【図９】
2006130232.tif 000011
【図１０】
2006130232.tif 000012
【図１１】
2006130232.tif 000013